(57)【要約】【課題】  テグスのような線材部材へも鳥が止まり難くすることを目的とした配線装置を提案し、合わせて配線装置を有することで区画内へ鳥が侵入して滞在し、鳥による被害が発生することを抑える鳥害対策装置を提案する。【解決手段】  領域５内へ鳥が侵入して滞在し、鳥による被害が発生することを抑える鳥害対策装置１は、領域５内の所定の位置に配置され、鳥の視覚を混乱させる刺激を与えて前記鳥が侵入して滞在することを阻止する視覚混乱刺激付与手段である鳥忌避部材７ａ，７ｂ，７ｃ，７ｄ，７ｅ，７ｆ，７ｇ，７ｈ，７ｉ，７ｊ，７ｋ，９ａ，９ｂ，９ｃ，９ｄと、領域５内の外部との境目に配置され、複数の線状部材１５ａ，１５ｂを地面からの垂直方向に対してずらして傾斜した配線とする傾斜配線手段である配線固定部１３ａ，１３ｂとを備える。【選択図】  図１
2020054270.tif 000002
【特許請求の範囲】
【請求項１】
区画領域内へ鳥が侵入して滞在し、鳥による被害が発生することを抑える鳥害対策装置であって、
前記区画領域内の所定の位置に配置され、前記鳥の視覚を混乱させる刺激を与えて前記鳥が侵入して滞在することを阻止する視覚混乱刺激付与手段と、
前記区画領域内の外部との境目に配置され、複数の線状部材を地面からの垂直方向に対してずらして傾斜した配線とする傾斜配線手段とを備えた、鳥害対策装置。
【請求項２】
前記傾斜配線手段は、前記複数の線状部材を地面からの垂直方向に対してずらして傾斜した配線とするための一対の線状部材固定手段を有し、
前記線状固定手段のそれぞれには、前記複数の線状部材を取り付ける複数の穴が設けられ、前記複数の穴が地面からの垂直方向に対してずれて配設されることを特徴とする、請求項１記載の鳥害対策装置。
【請求項３】
前記線状部材の端部側は、伸縮可能な材料が用いられることを特徴とする、請求項１又は２記載の鳥害対策装置。
【請求項４】
鳥による被害が発生することを抑える鳥害対策装置で用いられる配線装置であって、
鳥がとまりやすい位置に設けられ、
複数の線状部材を地面からの垂直方向に対してずらして傾斜した配線とするための一対の線状部材固定手段を有し、
前記線状固定手段のそれぞれには、前記複数の線状部材を取り付ける複数の穴が設けられ、前記複数の穴が地面からの垂直方向に対してずれて配設されることを特徴とする、配線装置。
【請求項５】
前記線状部材固定手段は、
平板状の底部と、
前記底部の１辺から平板状の立ち上がった立ち上がり部とを有し、
前記底部と前記立ち上がり部とは鋭角で繋がっており、
前記複数の穴が前記立ち上がり部に形成されている、請求項４記載の配線装置。
【請求項６】
前記線状部材固定手段は、
パイラックベースのクリップ部と、
前記クリップ部と繋がって平面部分を有する潰し羽子板部とを有し、
前記羽子板部の平面部は垂直方向に対して傾斜しており、
前記複数の穴が前記平面部に形成されている、請求項４記載の配線装置。
【請求項７】
前記羽子板部は上方に向けて広がった形状をしており、上方側に形成された穴が下方側に形成された穴よりも外側に形成されている、請求項６記載の配線装置。
【発明の詳細な説明】
【技術分野】
【０００１】
本発明は、鳥害対策装置、及び、それに用いられる配線装置に関し、特に、区画内へ鳥が侵入して滞在し、鳥による被害が発生することを抑える鳥害対策装置等に関する。
【背景技術】
【０００２】
近年、鳥による被害がクローズアップされている。特に、大きく報道等されてきたものとして、鳥インフルエンザによるウィルスの被害がある。ウィルスの被害としては、他にも、例えば、中国での感染による被害で６１２人の死亡者が出たとされるＨ７Ｎ９型のウィルス、ピジョンオーニソージス、アレルギー、オウム病（クラミジア肺炎）、クリプトコックス症、サルモネラ食中毒、ニューカッスル病、トキソプラズマ症、ヒストプラズマ病、脳炎がある。また、他の被害としては、糞などの衛生被害、騒音被害もある。
【０００３】
これまでの主な対策としては、例えば、ネット、剣山、ジェル、マグネット、薬、目玉がある。
【０００４】
しかしながら、ネットについては効果の持続性はあるが施工性に難があり、剣山については効果の持続性と施工性に難があり、ジェルについても効果の持続性と施工性に難があり、マグネットについても効果の持続性と施工性に難があり、薬については施工性はよいが効果の持続性に難があり、目玉についても施工性はよいが持続性に難があるという問題があった。
【０００５】
そこで、本願発明者は、ドットマン（商品名）関連の技術を開発し（特許文献１、特許文献２参照）、上記の鳥を忌避するためのものに比べて、持続性及び施工性の高いもの提案し、数々の成果実績を残してきた。
【０００６】
特許文献１に記載の技術は、鳥を傷めることなく鳥害を抑止し、しかも効果の持続性に優れる低コストの鳥忌避部材を提供することを目的としている。その解決手段は、平板状・長尺の板材状・シート状又はテープ状の部材表面に鳥が見て嫌がる忌避模様を形成した鳥忌避部材であり、表面色を黄色系統色にし、縦長の所定幅の領域内にその所定幅とほぼ同じ振幅の仮想波線を位相が異なるように複数設け、各仮想波線上に黒色又は明度の低い色の暗点をその点径が連続的に変化するように且つ隣接する同径の暗点が縦方向の同じ列線上に配置されないようにずらして形成し、その複数の仮想波線に沿って形成した模様を幅方向に繰り返すように複列に形成するようにしているものである。そして、これが例えば駅の屋根や住宅のベランダに取り付けられ、田畑に張架されることで実際の使用が行われる。
【０００７】
なお、特許文献２に記載の技術は、ハトやサル等の鳥獣を傷つけることなく接近を抑止して被害を低減することを目的にしている。その解決手段は、以下のものである。鳥獣忌避装置では、鳥獣が忌避する絵又は模様が描かれた表示部に焦点が合わないようにする透明のレンチキュラーレンズが重ねて取り付けられる。表示部では、ハトの天敵であるオオタカをイメージした絵と波状に変化するように配列した斑点模様が合成される。この鳥獣忌避装置が例えば住宅のベランダに設置されると、ハトがベランダに向かって飛来し、距離３〜４ｍ以下に接近して表示部を見た場合、焦点が合わずに遠近感がつかみにくくなり、ベランダや鳥獣忌避装置に立ち止まることができなくなる。このような手段により、ハトはベランダに近寄りにくくなり、ベランダに設置している空調機の室外機や洗濯物等に対する糞害が低減されることになる。
【０００８】
出願人は、このような工夫をしてきたものを使い、それぞれの技術を単独で使うだけでなく、組み合わせて使うことで、大きな成果を得てきた。
【先行技術文献】
【特許文献】
【０００９】
【特許文献１】特開２０１１−１５５８５６号公報
【特許文献２】特開２００９−８９６４５号公報
【発明の概要】
【発明が解決しようとする課題】
【００１０】
ところで、特許文献１の平板状・長尺の板材状・シート状又はテープ状の部材表面に鳥が見て嫌がる忌避模様を形成した鳥忌避部材は、取り付ける方向が表面を上に向けて設置することも多い。その場合、その表面を敢えて見せるために、金属製のテグスを１本又は２本張って鳥が立ち止まるようにすることがある。このテグスとしては、規格のような均一な長さのものが使われるか、場所によって長さを調整しながら取り付けが行われる。そして、テグスを両側で張るための支持部材は、手摺等にビスで調整されて固定されることが一般的となっている。
【００１１】
しかしながら、長年の使用により、塵・埃・火山灰などが上記鳥忌避部材その表面に溜まってしまうことがある。その場合には、鳥が見て嫌がる忌避模様が鳥には見えない状態になり、テグスの位置に立ち止まることも問題なく、様子を見た鳥がベランダ等の中に侵入して滞在してしまうという問題にとって意味がなさなくなる可能性が出てくるという問題があった。
【００１２】
ゆえに、本発明は、テグスのような線材部材へも鳥が止まり難くすることを目的とした配線装置を提案し、合わせて配線装置を有することで区画内へ鳥が侵入して滞在し、鳥による被害が発生することを抑える鳥害対策装置を提案する。
【課題を解決するための手段】
【００１３】
本発明の第１の観点は、区画内へ鳥が侵入して滞在し、鳥による被害が発生することを抑える鳥害対策装置であって、前記区画内の所定の位置に配置され、前記鳥の視覚を混乱させる刺激を与えて前記鳥が侵入して滞在することを阻止する視覚混乱刺激付与手段と、前記区画内の外部との境目に配置され、複数の線状部材を地面からの垂直方向に対してずらして傾斜した配線とする傾斜配線手段とを備えたものである。
【００１４】
このように、傾斜配線されることで複数の線状部材に立ち止まりにくいものとなる。その結果、鳥は、飛び越えて区画内に侵入しようとするか、無理にでも立ち止まろうとするか、立ち止まらずに近付かないを選択することになる。
【００１５】
本発明の第２の観点は、第１の観点において、前記傾斜配線手段は、前記複数の線状部材を地面からの垂直方向に対してずらして傾斜した配線とするための一対の線状部材固定手段を有し、前記線状固定手段のそれぞれには、前記複数の線状部材を取り付ける複数の穴が設けられ、前記複数の穴が地面からの垂直方向に対してずれて配設されることを特徴とするものである。
【００１６】
このように、傾斜させるための複数の穴を一対の線状部材固定手段に配設させることで、傾斜配線を容易に行える。
【００１７】
本発明の第３の観点は、第１又は第２の観点において、前記線状部材の端部側は、伸縮可能な材料が用いられることを特徴とするものである。
【００１８】
このようにして、端部側が伸縮することで、長さの調節が簡単であり、線状部材の配線を容易に行える。また、伸縮することで、仮に鳥が配線に立ち止まるとしても、揺れて止まり難いものとなる。
【００１９】
本発明の第４の観点は、鳥による被害が発生することを抑える鳥害対策装置で用いられる配線装置であって、鳥がとまりやすい位置に設けられ、複数の線状部材を地面からの垂直方向に対してずらして傾斜した配線とするための一対の線状部材固定手段を有し、前記線状固定手段のそれぞれには、前記複数の線状部材を取り付ける複数の穴が設けられ、前記複数の穴が地面からの垂直方向に対してずれて配設されることを特徴とするものである。
【００２０】
このようにして、傾斜配線されることで複数の線状部材に立ち止まりにくいものとなり、周りの状況を把握するための様子見が困難なものとなる。
【００２１】
本発明の第５の観点は、第４の観点において、前記線状部材固定手段は、平板状の底部と、前記底部の１辺から平板状の立ち上がった立ち上がり部とを有し、前記底部と前記立ち上がり部とは鋭角で繋がっており、前記複数の穴が前記立ち上がり部に形成されているものである。
【００２２】
このようにして、底部側をビス固定、接着剤固定、ベルト固定などで簡単に固定できる。なお、底部と立ち上がり部とを樹脂成型など成型すれば、一体成型で済むものとなり、簡単に作ることができる。
【００２３】
本発明の第６の観点は、第４の観点において、前記線状部材固定手段は、パイラックベースのクリップ部と、前記クリップ部と繋がって平面部分を有する潰し羽子板部とを有し、前記羽子板部の平面部は垂直方向に対して傾斜しており、前記複数の穴が前記平面部に形成されているものである。
【００２４】
このようにして、パイラックベースのクリップ部により、Ｈ鋼等にも取り付けることができる。
【００２５】
本発明の第７の観点は、第６の観点において、前記羽子板部は上方に向けて広がった形状をしており、上方側に形成された穴が下方側に形成された穴よりも外側に形成されているものである。
【００２６】
このようにして、羽子板部が金属であっても、傾斜の角度に対して穴の位置を外側に形成することで傾斜の効果を最大化する配線を実現しつつ、配線自体も行いやすいものとできる。
【発明の効果】
【００２７】
本発明によれば、傾斜配線されることで複数の線状部材に立ち止まりにくいものとなる。それにより、区画内に入る前の様子見が困難なものとなる。仮に、様子見を敢えてするとしても、その下には従来の鳥が見て嫌がる忌避模様を形成した鳥忌避部材があれば、それを見れば忌避されることになる。加えて、立ち止まらずに区画内に入れば視覚混乱刺激付与手段による刺激を受けて区画内にも侵入し滞在することが困難なものとなる。特に、従来の鳥が見て嫌がる忌避模様を形成した鳥忌避部材の表面を上に向けても、塵や埃等でその効果が減っていく長い期間の間に、鳥は傾斜配線されることで複数の線状部材に立ち止まりにくいこともあってそこに立ち止まることも辞める傾向になり、結果的に区画内への侵入と滞在を抑止することになる。すなわち、周りの状況を把握するための様子見が困難なものとなるため、近付かない選択をさせることになり、区画内への侵入そのものを極めて早い段階で予防することができる。この配線装置を有する鳥害対策装置としても、鳥による被害への対策という点からも長期的な効果を維持させるものとできる。
【図面の簡単な説明】
【００２８】
【図１】本発明の実施の形態にかかる鳥害対策装置を説明するための図である。
【図２】図１の配線装置を説明する図である。
【図３】図２の配線装置の配線固定部を説明する図である。
【図４】図３の配線固定部の正面図である。
【図５】図３の配線固定部の平面図である。
【図６】図３の配線固定部の底面図である。
【図７】図３の配線固定部の右側面図である。
【図８】図３の配線固定部の左側面図である。
【図９】図３の配線固定部の背面図である。
【図１０】他の配線固定部の正面図である。
【図１１】他の配線装置を説明する図である。
【図１２】図１１の配線固定部の正面図である。
【図１３】図１１の配線固定部を取り付ける方法を説明するための図である。
【図１４】図１１の配線装置の配線固定部における羽子板部とは異なる他の羽子板部を有する配線固定部を用いた配線装置を説明する図である。
【発明を実施するための形態】
【００２９】
以下に本発明の実施の形態について図面を参照して詳細に説明するが、本発明はこれに限定されるものではない。
【００３０】
鳥害対策装置１は、壁面３から張り出した張り出し領域５に設けられている。鳥害対策装置１は、特許文献１に記載のような鳥忌避部材７ａ，７ｂ，７ｃ，７ｄ，７ｅ，７ｆ，７ｇ，７ｈ，７ｉ，７ｊ，７ｋと、特許文献２に記載のような鳥忌避部材９ａ，９ｂ，９ｃ，９ｄと、配線装置１１とを備える。鳥忌避部材７ａ，７ｂ，７ｃ，７ｄ，７ｅ，７ｆ，７ｇ，７ｈ，７ｉ，７ｊ，７ｋは、平板状・長尺の板材状・シート状又はテープ状の部材表面に鳥が見て嫌がる忌避模様を形成したものである。鳥忌避部材７ａ，７ｂ，７ｃ，７ｄ，７ｅ，７ｆ，７ｇ，７ｈは、張り出し領域５の壁面３側に、その壁面に沿って一列に配設されている。鳥忌避部材７ｉ，７ｊ，７ｋは、外側で一列に配設されている。鳥忌避部材９ａ，９ｂ，９ｃ，９ｄは、鳥が忌避する絵又は模様が描かれた表示部に焦点が合わないようにする透明のレンチキュラーレンズが重ねて取り付けられ、表示部では、天敵であるオオタカをイメージした絵と波状に変化するように配列した斑点模様が合成されている。鳥忌避部材９ａは右側の縁に右に向いて配置され、鳥忌避部材９ｂは右寄りの位置で正面側である外側に向いて配置され、鳥忌避部材９ｃは左よりの位置で正面側である外側に向いて配置され、鳥忌避部材９ｄは左側の縁に左を向いて配置されている。
【００３１】
配線装置１１は、一対の配線固定部１３ａ，１３ｂを備え、配線固定部１３ａ，１３ｂとの間で配線される２本の線状部材１５ａ，１５ｂを備える。配線装置１１の線状部材１５ａ，１５ｂは、後述するが、上下に垂直方向で配線されておらず、ずれて配線されている。この配線されたほぼ下の位置に、鳥忌避部材７ｉ，７ｊ，７ｋが配置される位置関係になっている。
【００３２】
図２は図１の配線装置を説明する図である。図３は図２の配線装置の配線固定部を説明する図であり、図４は図３の配線固定部の正面図であり、図５は図３の配線固定部の平面図であり、図６は図３の配線固定部の底面図であり、図７は図３の配線固定部の右側面図であり、図８は図３の配線固定部の左側面図である。図９は図３の配線固定部の背面図である。
【００３３】
配線固定部１３ａは、立ち上がり部１３０と、底部１３３とを備える。立ち上がり部１３０と底部１３３とは、α度のような角度で繋がっている。立ち上がり部１３０には、穴１３１ａ，１３１ｂ，１３１ｃ，１３１ｄ，１３１ｅ，１３１ｆが形成されている。底部１３３には、穴１３５ａ，１３５ｂ，１３５ｃ，１３５ｄが形成されている。立ち上がり部１３０と底部１３３との繋がりには、切欠１３４ａ，１３４ｂが形成されている。
【００３４】
図１に示す線状部材１５ａの一端部が、配線固定部１３ａにおける立ち上がり部１３０の穴１３１ｂに取り付けられ、他端部が、配線固定部１３ｂにおける立ち上がり部の穴１３１ｂに相当する穴に取り付けられて、線状部材１５ａが配線される。図１に示す線状部材１５ｂの一端部が、配線固定部１３ａにおける立ち上がり部１３０の穴１３１ｄ（又は穴１３１ｆ）に取り付けられ、他端部が、配線固定部１３ｂにおける立ち上がり部の穴１３１ｄ（又は穴１３１ｆ）に相当する穴に取り付けられて、線状部材１５ｂが配線される。このような線状部材１５ａと線状部材１５ｂの配線は、立ち上がり部１３０が底部１３３に対してα度の角度で傾斜しており、垂直方向ではなくずれて配線されている。
【００３５】
ここで、線状部材１５ａ，１５ｂは、その両端には穴１３１ｂ等に引っ掛けるためのＳ環１５１ａ，１５１ｂ，１５１ｃ，１５１ｄを有し、固定スリーブ１５３ａ，１５３ｂの他、フリー固定スリーブ１５５ａ，１５５ｂも有し、フリー固定スリーブ１５５ａとＳ環１５１ａとの間にはスプリング１５７ａが設けられ、フリー固定スリーブ１５５ｂとＳ環１５１ｂとの間にはスプリング１５７ｂが設けられている。
【００３６】
このような構成とすることで、線状部材１５ａ，１５ｂの長さの調整が簡単に行われるようになっており、工事時間の短縮化が可能になる。さらにスプリング１５７ａ，１５７ｂによって、鳥が止まったときに揺れるものとしている。
【００３７】
このような配線固定部１３ａ，１３ｂでは、底部を取り付けることが容易であり、以下のような取り付けが行われることが可能になっている。
【００３８】
Ｃ鋼、角鋼、手摺に対しては、インシュロック・バンド等で縛ることが可能性あり、２液ボンド等で接着固定することが可能である。コンクリートに対しては、コンクリートビス等で固定することが可能であり、２液ボンド等で接着固定することが可能である。シャッターボックスに対しては、ビス等で固定することが可能であり、２液ボンド等で接着固定することが可能である。なお、接着強度を上げるためにベース材に固定し、ベース材を接着してもよい。
【００３９】
このような配線装置１１によって、鳥が領域５の中に侵入して滞在する前に線状部材１５ａ，１５ｂが傾斜している関係で止まりにくいものとなっている。止まりにくいことから領域５の中に侵入すれば、鳥忌避部材７ａ，７ｂ，７ｃ，７ｄ，７ｅ，７ｆ，７ｇ，７ｈ等によって侵入し難いことになっており、領域５内に侵入して滞在することを抑止できる。なお、線状部材１５ａ，１５ｂに止まりにくいとしても、止まらないことが起こらないというわけではないが、仮に止まったとしても、鳥忌避部材７ｉ，７ｊ，７ｋを見て外に逃げることになる。この二つの効果が持続されることで、大きな効果が得られることになる。そして、仮に鳥忌避部材７ｉ，７ｊ，７ｋに埃、塵等が溜まったとしても、線状部材１５ａ，１５ｂが傾斜している関係で止まりにくい点は変わらず、鳥は止まらないことを学習し、領域５に侵入することは予防されることになる。
【００４０】
なお、上記の配線装置１１の線状部材１５ａ，１５ｂが配線されたほぼ下の位置に、鳥忌避部材７ｉ，７ｊ，７ｋが配置される位置関係になっているが、鳥忌避部材７ｉ，７ｊ，７ｋが必ずしも配置される必要はなく、配線装置１１の線状部材１５ａ，１５ｂが傾斜していること自体に大きな意味がある。すなわち、線状部材を傾斜させて配線した配線装置は、領域５のようなエリアと外部との境目に配置されるだけでなく、侵入したいエリアの前に鳥が立ち止まるような位置に設けてもよい。これでも、そこに止まりにくい効果はあり、エリアに入ることに対しても予防できる面がある。
【００４１】
図１０は他の配線固定部の正面図である。
【００４２】
この配線固定部２１は図４に示す配線固定部１３ａと比べて大きなサイズとしている。そのため、穴をさらに多く形成しており、被害状況や鳥の種類によって位置を変更できるようにしている。このように、線状部材の数及び位置の選択肢を増やしてもよい。
【００４３】
図１１は他の配線装置を説明する図であり、図１２は図１１の配線固定部の正面図である。
【００４４】
図２の配線装置１１とは異なる点を説明する。配線装置３１は、一対の配線固定部３３ａ，３３ｂを備えている。配線固定部３３ａは、羽子板部３４ａと、クリップ部３５ａを備える。羽子板部３４ａには、傾斜配線するための平面部３６に複数の穴３７ａ，３７ｂ，３７ｃが形成されている。クリップ部３５ａは、パイラックベースのクリップ部としている。なお、配線固定部３３ｂは、配線固定部３３ａと同様であり、羽子板部３４ｂと、クリップ部３５ｂを備えている。
【００４５】
図１３は図１１の配線固定部を取り付ける方法を説明するための図である。図１３（Ａ）はＨ鋼への取り付けを示しており、図１３（Ｂ）はＬ鋼への取り付けを示しており、図１３（Ｃ）はターンバックルプレスへの取り付けを示している。このように、Ｈ鋼、Ｌ鋼、ターンバックルプレスへの取り付けが可能になっている。
【００４６】
図１４は図１１の配線装置の配線固定部における羽子板部とは異なる他の羽子板部を有する配線固定部を用いた配線装置を説明する図である。
【００４７】
図１１の配線装置３１とは異なる点を説明する。配線装置４１は、一対の配線固定部４３ａ，４３ｂを備えている。配線固定部４３ａは、羽子板部４４ａと、クリップ部３５ａを備える。羽子板部４４ａは、図１１の羽子板部３４ａとは異なり、上方に向けて大きく広がった形になっている。傾斜配線するための平面部４５に複数の穴４６ａ，４６ｂ，４６ｃ，４６ｄ，４６ｅが形成されている。なお、配線固定部４３ｂは、配線固定部４３ａと同様であり、羽子板部４４ｂと、クリップ部３５ｂを備えている。
【００４８】
このように、この配線装置では、取り付ける場所は問われないものとできている。
【符号の説明】
【００４９】
１・・・鳥害対策装置、３・・・壁面、５・・・領域、７ａ，７ｂ，７ｃ，７ｄ，７ｅ，７ｆ，７ｇ，７ｈ，７ｉ，７ｊ，７ｋ，９ａ，９ｂ，９ｃ，９ｄ・・・鳥忌避部材、１１，３１，４１・・・配線装置、１３ａ，１３ｂ，２１，３３ａ，３３ｂ，４３ａ，４３ｂ・・・配線固定部、１５ａ，１５ｂ・・・線状部材、３４ａ，３４ｂ，４４ａ，４４ｂ・・・羽子板部、３５ａ，３５ｂ・・・クリップ部、３６，４５・・・平面部、１３０・・・立ち上がり部、１３３・・・底部、３７ａ，３７ｂ，３７ｃ，４６ａ，４６ｂ，４６ｃ，４６ｄ，４６ｅ，１３１ａ，１３１ｂ，１３１ｃ，１３１ｄ，１３１ｅ，１３１ｆ，１３５ａ，１３５ｂ，１３５ｃ，１３５ｄ・・・穴、１３４ａ，１３４ｂ・・・切欠、１５１ａ，１５１ｂ，１５１ｃ，１５１ｄ・・・Ｓ環、１５３ａ，１５３ｂ・・・固定スリーブ、１５５ａ，１５５ｂ・・・フリー固定スリーブ、１５７ａ，１５７ｂ・・・スプリング
【図１】
2020054270.tif 000003
【図２】
2020054270.tif 000004
【図３】
2020054270.tif 000005
【図４】
2020054270.tif 000006
【図５】
2020054270.tif 000007
【図６】
2020054270.tif 000008
【図７】
2020054270.tif 000009
【図８】
2020054270.tif 000010
【図９】
2020054270.tif 000011
【図１０】
2020054270.tif 000012
【図１１】
2020054270.tif 000013
【図１２】
2020054270.tif 000014
【図１３】
2020054270.tif 000015
【図１４】
2020054270.tif 000016